(57)【特許請求の範囲】
【請求項１】
扉の自由側端縁部に沿って上下方向に延在し、全体が円弧状に成形された合成弾性材料よりなるハンドルバーを備え、このハンドルバーは、断面形状が略細長いＵ字形で、そのＵ字の開口が若干拡開した受け孔を形成したハンドル受けに、断面が半円に成形された一端を挿入することにより、その一端が前後方向に揺動可能に支承されると共に、他端が、上記ハンドル受けと対象的に成形されたハンドルカバーに挿入された状態でその長さ方向にそって移動可能に案内され、その他端に結合された作動片を直接錠箱の掛け金機構に連係させたことを特徴とする扉のハンドル装置。
【発明の詳細な説明】
【０００１】
【発明の属する技術分野】
この発明は新規な扉のハンドル装置に関する。更に詳しくは、ハンドル自身の弾性変形を利用してハンドルの案内及び錠箱のラッチ機構の駆動を行えるようにした扉のハンドル装置に関する。
【０００２】
【従来の技術】
扉のハンドル装置は、扉の自由側端縁部に沿って上下方向に延在するハンドルバーを、例えば垂直な回動軸の回りを回動できるように支承し、ハンドルバーを握って扉を押し引きすると、そのハンドル操作によりハンドルバーが垂直な回動軸の回りを回動するので、その扉に対するハンドルバーの相対回動を利用して錠箱のラッチ機構を解除する。
【０００３】
このように、ハンドル装置はラッチ機構の解除と扉の開け閉め操作を一つのハンドルバーで行えるので使い勝手が良い。
【０００４】
或いは、例えば特願平７−８８７８３号の明細書に開示された発明によるハンドル装置は、平行四辺形リンクを介してハンドルバーを扉に装着し、当該リンクの変形によりハンドルバーを扉面に垂直な前後方向に移動できるように案内する。
【０００５】
そして、ハンドルを握って扉を開ける方向或いは閉める方向に押し引きするときのハンドルバーの前後方向に動きを、連係部材を介して錠箱のラッチ機構に伝達し、これを解除する。
【０００６】
【発明が解決しようとする課題】
上記した従来のハンドル装置は、ハンドルバーが剛体であるため、その扉に対する支持装置、又は案内装置を必要とし、必然的に構造が複雑になり、また故障の確率や保守点検の頻度が増大する、という不都合がある。
【０００７】
この発明は、上記した従来のハンドル装置の不都合を解消し、弾性材質のハンドルバーの弾性変形を利用してラッチ機構を制御できるようにした新規なハンドル装置を提供することを目的としている。
【０００８】
また、扉のハンドル装置の構造を簡単にすると共に、操作音を可及的小さくし、更に、作動も確実にすることをも目的としている。
【０００９】
【課題を解決するための手段】
上記の目的を達成するため、この発明は、扉の自由側端縁部に沿って上下方向に延在し、全体が円弧状に成形された合成弾性材料よりなるハンドルバーを備え、このハンドルバーは、断面形状が略細長いＵ字形で、そのＵ字の開口が若干拡開した受け孔を形成したハンドル受けに、断面が半円に成形された一端を挿入することにより、その一端が前後方向に揺動可能に支承されると共に、他端が、上記ハンドル受けと対象的に成形されたハンドルカバーに挿入された状態でその長さ方向にそって移動可能に案内され、その他端に結合された作動片を直接錠箱の掛け金機構に連係させたことを特徴とする。
【００１０】
【発明の実施の形態】
以下、図面に示す実施例に基いてこの発明について説明する。この発明のハンドル装置は、出入口としての扉１に設けるときは室外側及び室内側の両面に取り付けるのが普通であるが、物入れの扉に設ける時はその室外側の面にのみ取り付ければ済む。
【００１１】
図示の実施例において、ハンドル装置は扉１の内外両面に対をなして設けられているが、ここでは、扉１の室外側の（図１で右側）の表面に装着させたハンドル装置を代表させて説明する。
【００１２】
図１及び図２において、符号２は扉１の自由側端縁部に沿って上下方向に延在するようにして取付けられる縦長のハンドルバーで、弾性及び可撓性に富むポリアミド樹脂、ポリプロピレン樹脂その他の弾性高分子材料（以下合成弾性材料という）で構成されている。
【００１３】
ハンドルバー２にはその長手方向に沿って補強の目的で芯材を埋設することもできる。
【００１４】
このハンドルバー２は、全体の形状が例えば外方に向け凸の円弧状で、横断面形状が例えば細長い矩形に成形してあり、その一端（図１で下端）はハンドル受け３により前後方向に揺動可能に支承されている。
【００１５】
このハンドル受け３は、断面形状が略細長いＵ字形でそのＵ字の開口が若干拡開した受け孔を形成したブロック体である。
【００１６】
このハンドル受け３は、室内側のハンドル受け３と共に、要すれば補強板４を介して、ねじ５、５により室内側から呼び付けられるようにして扉１に装着されている。
【００１７】
一方、このハンドル受けに挿入されるハンドルバー２の一端は、図２に示すように、その断面形状がハンドル受け３の受け孔の底の丸みとほぼ同じ半円になるように成形されている。
【００１８】
その為、ハンドルバー２は、その一端（下端）をハンドル受けの受け孔の底に接合させた状態で、全体として前後に円滑に揺動できる。
【００１９】
なお、ハンドルバー２の一端の支承方法は図示にものに限定されることなく、例えばハンドルバー２の一端部を水平に貫通する枢軸により支承するようにしてもよい。
【００２０】
他方、ハンドルバー２の他端（図示の実施例では上端）部は、ハンドルカバー６に挿入された状態で、その長さ方向に移動可能に支持、案内されている。
【００２１】
このハンドルカバー６は、例えば上記ハンドル受け３をこれとは上下対称的に引っ繰り返して扉に装着したもので、後述する作動片７が貫通して移動する幅広のスリット８が形成されている点がハンドル受け３と相違するのみである。
【００２２】
このハンドルカバー６も、室内側のハンドルカバー６と共に、要すれば補強板４を介して、ねじ５、５により室内側から呼び付けられるようにして扉１に装着されている。
【００２３】
これらハンドル受け３及びハンドルカバー６共、合成樹脂材料で構成するを可とする。それは、射出成形により安価に製造できるし、合成弾性材料よりなるハンドルバー２と外観上よくマッチするからである。
【００２４】
そして、このハンドルカバー６に形成された受け孔内に挿入されたハンドルバー２の他端部の両側面には、その長さ方向に沿って、短い案内溝９、９が凹設されており、各案内溝９に、ハンドルカバー６を貫通するガイドピン１１の内端が摺動可能に係合している。
【００２５】
このガイドピン１１は、例えば硬質の合成樹脂製とし、ハンドルカバー６の側面に形成された付番しないピン穴に挿入した後、例えば接着剤により固定する。なお、デザイン上の要請からその少なくとも外面はハンドルカバー６と同色になるように彩色するを可とする。
【００２６】
なお、ハンドルバー２の他端をその長さ方向に移動可能に案内する手段は、図示の実施例に限らず、例えばハンドルバー２の他端を水平に貫通し、両端がハンドルバー２の側面外に突出したピンをハンドルカバー６の側面に形成された長いガイド溝に係合させてもよい（図示せず）。
【００２７】
一方、ハンドルバー２の他端には、例えば金属板を略イ字形に打ち抜いた作動片７をねじ止めにより一体的に結合し、この作動片７を、上記スリット８を通して、扉１内に埋設された錠箱１２内の図示しない掛け金機構に直接連係させる。
【００２８】
なお、図において符号１３は、ハンドル受け３及びハンドルカバー６の受け孔とハンドルバー２との間に生じる間隙を隠すためのひさし部であるが、この発明の必須の構成要素ではない。
【００２９】
また、室外側のハンドルバー２は自然状態で全体の形状が円弧状に成形されていることは前記した通りであるが、図２に示す常態において、若干座屈する方向の軸力が印加され、ハンドル受け３とガイドピン１１との間で少し突っ張った状態にあるものとする。
【００３０】
上記のように構成されたこの発明による扉のハンドル装置において、外側のハンドルバー２の中央部を握って図２の矢印方向に僅かに引張ると、その他端はほぼその長さ方向に移動し、作動片７は図２の矢印Ｅ方向に比較的大きく移動して、図３に示すように変位する。
【００３１】
そこで、この作動片７の移動を利用して錠箱１２内の掛け金機構を動かし、ラッチを外した後その儘ハンドルを引けば扉は外側に開く。その理由を図４を参照して次に述べる。
【００３２】
図４に示すように、常態において点Ｏ１を曲率中心とする半径Ｒのハンドルバー２がハンドル受け３とガイドピン１１との間で突っ張っていたとする。
【００３３】
上記のようにハンドルバー２を外方に引き、その結果ハンドルバー２の中心が点Ａから点Ｂに、その曲率中心が点Ｏ１から点Ｏ２に夫々移動し、その結果ハンドルバーの曲率半径がｒに変化する。
【００３４】
この時、常態におけるハンドルバー２のガイドピン１１における接線ｌ１と、ハンドル操作後のハンドルバー２のガイドピン１１における接線ｌ２との間の角度γの値を調べてみる。
【００３５】
図示のように角度を規定すると、γ＝α−βである。また、線分Ｏ１Ｏ２の長さをｘ、線分ＡＢの長さをｄとすると、ｘ＝Ｒ−ｒ＋ｄである。
【００３６】
また、点Ｏ１、Ｏ２及び１１を頂点とする三角形について、
ｘ2 ＝Ｒ2 ＋ｒ2 −２Ｒｒｃｏｓγ  であるから、この式に上記ｘを代入して整理すれば、ｃｏｓγ＝１−ｄ（Ｒ−ｒ）／Ｒｒ−ｄ2 ／２Ｒｒとなり、この式の第２項及び第３項は２次の微小であるからｃｏｓγ＝１、すなわちα＝βという結果になる。
【００３７】
換言すれば、例えば７０〜８０ｃｍの長さのハンドルバー２に対し、作動片７の動きが数ｍｍ程度であれば、ハンドルバー２の他端（可動端）の角度変化は無視できる。
【００３８】
故に、前記したとおり、ハンドルバー２の中央部を僅かに外側に引けば、その可動の他端は比較的大きく動き、その動きを利用して錠箱１２内の掛け金機構を確実に制御することができる。
【００３９】
室内側のハンドルバーは、図３における室外側のハンドルバー２の状態が常態であり、図２において室内側のハンドルバー２の中央部を外側に向かって押動することによりハンドルバー２は伸張し、図２において下方の作動片７が上方に移動して錠箱の掛け金機構を制御する。
【００４０】
なお、室内側のハンドルバーについては、常態においてプリストレス（予め印加しておく軸力）をほぼ０にしておくことが望ましい。
【００４１】
それは、引張り気味にしておくとハンドルバー２の一端がハンドル受け３の受け孔の底から浮いてしまうし、圧縮気味にしておくと、案内溝９とガイドピン１１との関係が図２のようになってしまい、以降ハンドルバー２が伸張する余地が無くなるからである。
【００４２】
【発明の効果】
以上の説明から明らかなように、本発明は、円弧状のハンドルバーの曲率半径が変化する方向の僅かの変位でその可動端を長さ方向に比較的大きく動かすことができるから、ハンドルバーの動きを作動片の動きに変換する機構が必要でなくなり、ハンドル装置の構造が非常に簡単になる。
【００４３】
また、ハンドルバーの弾性変形により作動片を動かすようにしているので、通常機械的な案内機構や作動力の方向を変換する機構に存在する所謂ガタや遊びが無く、作動が確実で騒音が発生する余地も無い、等種々の効果を奏する。
【図面の簡単な説明】
【図１】この発明の一実施例による扉のハンドル装置の一部断面正面図。
【図２】その一部断面側面図で、ハンドルバーを操作しない常態を示す。
【図３】図２と同様の一部断面側面図で、室外側のハンドルバーを操作した状態を示す。
【図４】ハンドルバーの弾性変形を説明するための線図。
【符号の説明】
２  ハンドルバー
３  ハンドル受け
６  ハンドルカバー
７  作動片
９  案内溝
１１  ガイドピン
１２  錠箱
【図１】
0004165840.tif 000002
【図２】
0004165840.tif 000003
【図３】
0004165840.tif 000004
【図４】
0004165840.tif 000005